(57)【要約】【課題】着脱品の不正な持ち出しを抑制するための新しい管理システム及び画像処理装置を提供する。【解決手段】カートリッジ２０の取り出しが検知された場合に、検知されたプリンタ１０とは異なるプリンタ１０においてカートリッジ２０の取り出しを抑制する抑制モードが実行されるため、カートリッジ２０の不正な持ち出しを抑制することができる。【選択図】図５
2011245649.tif 000002
【特許請求の範囲】
【請求項１】
着脱可能な着脱品を有する複数の画像処理装置が接続された管理システムであって、
前記複数の画像処理装置は、
着脱品の取り出しを検知する取出検知部を備える少なくとも一つの画像処理装置と、
前記取出検知部を備える他の画像処理装置において着脱品の取り出しが検知されたことに応じて、着脱品の取り出しを抑制する抑制処理を実行する抑制部を備える少なくとも一つの画像処理装置と、を含む管理システム。
【請求項２】
請求項１に記載の管理システムにおいて、
前記取出検知部を備える画像処理装置は、前記取出検知部により取り出しが検知されたことに応じて、前記抑制部を備える他の画像処理装置に前記抑制処理の実行を指示する指示部をさらに備える、管理システム。
【請求項３】
着脱可能な着脱品を有する複数の画像処理装置と管理装置とが接続された管理システムであって、
前記複数の画像処理装置は、
着脱品の取り出しを検知する取出検知部を備える少なくとも一つの画像処理装置と、
前記取出検知部を備える他の画像処理装置において着脱品の取り出しが検知されたことに応じて、着脱品の取り出しを抑制する抑制処理を実行する抑制部を備える少なくとも一つの画像処理装置と、を含み、
前記管理装置は、
前記取出検知部により着脱品の取り出しが検知されたことに応じて、取り出しが検知された前記取出検知部を備える画像処理装置とは異なる前記抑制部を備える画像処理装置に対して前記抑制処理の実行を指示する指示部を備える、管理システム。
【請求項４】
請求項１から請求項３のいずれか一項に記載の管理システムにおいて、
前記取出検知部を備える画像処理装置は、取り出しが検知された着脱品の装着を検知する装着検知部をさらに備え、
前記抑制部は、前記抑制処理の実行中に、取り出しが検知された画像処理装置において前記装着検知部により着脱品の装着が検知された場合には、当該抑制処理の実行を停止する、管理システム。
【請求項５】
請求項１から請求項４のいずれか一項に記載の管理システムにおいて、
前記取出検知部を備える画像処理装置は、複数の着脱品を装着可能であり、
前記抑制部は、一つの画像処理装置において前記取出検知部により取り出しが検知された着脱品の数が２以上であることを条件として前記抑制処理を実行する、管理システム。
【請求項６】
請求項１から請求項５のいずれか一項に記載の管理システムにおいて、
前記抑制部は、前記複数の画像処理装置のうち２以上の画像処理装置において前記取出検知部により取り出しが検知されたことを条件として前記抑制処理を実行する、管理システム。
【請求項７】
請求項１から請求項６のいずれか一項に記載の管理システムにおいて、
前記抑制部は、前記複数の画像処理装置のうち互いに異なる画像処理装置において前記取出検出部により取り外しが検知された着脱品同士が互いに交換不能であることを条件として前記抑制処理を実行する、管理システム。
【請求項８】
請求項１から請求項７のいずれか一項に記載の管理システムにおいて、
前記着脱品は、画像処理に使用される消耗品を収容しており、
前記取出検知部を備えた画像処理装置は、前記着脱品に収容される消耗品の残量が第１基準以上かを判定する第１残量判定部をさらに備え、
前記抑制部は、前記第１残量判定部により消耗品の残量が前記第１基準以上と判定された着脱品の取り出しが前記取出検知部により検知されることを条件として前記抑制処理を実行する、管理システム。
【請求項９】
請求項８に記載の管理システムにおいて、
前記抑制部は、前記第１残量判定部により消耗品の残量が前記第１基準以上と判定された着脱品の取り出しが、２以上の画像処理装置において前記取出検知部により検知されることを条件として前記抑制処理を実行する、管理システム。
【請求項１０】
請求項１から請求項９のいずれか一項に記載の管理システムにおいて、
前記着脱品は、画像処理に使用される消耗品を収容しており、
前記抑制部を備えた画像処理装置は、前記着脱品に収容される消耗品の残量が第２基準以上かを判定する第２残量判定部をさらに備え、
前記抑制部は、前記第２残量判定部により消耗品の残量が前記第２基準以上と判定された着脱品が装着された画像処理装置において前記抑制処理を実行する、管理システム。
【請求項１１】
請求項１から請求項１０のいずれか一項に記載の管理システムにおいて、
着脱品を取り出し不能にロック可能なロック部をさらに備え、
前記抑制部は、前記抑制処理において、前記ロック部により着脱品を取り出し不能にロックさせる、管理システム。
【請求項１２】
着脱可能な着脱品を有し前記着脱品の取り出しを抑制する抑制処理を実行可能な他の画像処理装置と接続される画像処理装置であって、
着脱品が着脱可能に装着される装置本体と、
前記装着本体からの着脱品の取り出しを検知する取出検知部と、
前記取出検知部により着脱品の取り出しが検知されたことに応じて、前記他の画像処理装置に対し前記抑制処理の実行を指示する指示部と、
を備える画像処理装置。
【請求項１３】
複数の着脱品が着脱可能に装着される装置本体と、
前記装着本体からの着脱品の取り出しを検知する取出検知部と、
前記取出検知部により前記複数の着脱品のうち一部の着脱品の取り出しが検知された場合に、残りの着脱品の取り出しを抑制する抑制処理を実行する抑制部と、
を備える画像処理装置。
【発明の詳細な説明】
【技術分野】
【０００１】
本発明は、管理システム及び画像処理装置に関し、特に着脱品の取り出しを抑制するための制御を行う管理システム及び画像処理装置に関する。
【背景技術】
【０００２】
従来より、プリンタなどの画像処理装置において、インクやトナーを収容するカートリッジが不正に持ち出されるのを防ぐために、カートリッジを取り出し不能にロックする機構を備えたものが知られている。例えば、下記特許文献１のプリンタでは、通常時には、インクカートリッジをロックしておき、インクの残量が所定量以下に達したときにそのロックを解除する。これにより、インクカートリッジが不正に持ち出される可能性を低減することができるとともに、インクの残量が少なくなった時にユーザがインクカートリッジを交換することが可能になる。
【先行技術文献】
【特許文献】
【０００３】
【特許文献１】特開２００２−１９２７４９号公報
【発明の概要】
【発明が解決しようとする課題】
【０００４】
しかしながら、上記技術では、カートリッジのインク等の残量が少ない状態にならなければ、ユーザがカートリッジを取り出すことができないため、不便なことがあった。
本発明は上記のような事情に基づいて完成されたものであって、着脱品の不正な持ち出しを抑制するための新しい管理システム及び画像処理装置を提供することを目的とする。
【課題を解決するための手段】
【０００５】
上記の目的を達成するための手段として、第１の発明に係る管理システムは、着脱可能な着脱品を有する複数の画像処理装置が接続された管理システムであって、前記複数の画像処理装置は、着脱品の取り出しを検知する取出検知部を備える少なくとも一つの画像処理装置と、前記取出検知部を備える他の画像処理装置において着脱品の取り出しが検知されたことに応じて、着脱品の取り出しを抑制する抑制処理を実行する抑制部を備える少なくとも一つの画像処理装置と、を含む。
【０００６】
第１の発明によれば、着脱品の取り出しが検知された場合に、検知された画像処理装置とは異なる画像処理装置において着脱品の取り出しを抑制する抑制処理が実行されるため、着脱品の不正な持ち出しを抑制することができる。
【０００７】
第２の発明は、第１の発明の管理システムにおいて、前記取出検知部を備える画像処理装置は、前記取出検知部により取り出しが検知されたことに応じて、前記抑制部を備える他の画像処理装置に前記抑制処理の実行を指示する指示部をさらに備える。
【０００８】
第３の発明は、着脱可能な着脱品を有する複数の画像処理装置と管理装置とが接続された管理システムであって、前記複数の画像処理装置は、着脱品の取り出しを検知する取出検知部を備える少なくとも一つの画像処理装置と、前記取出検知部を備える他の画像処理装置において着脱品の取り出しが検知されたことに応じて、着脱品の取り出しを抑制する抑制処理を実行する抑制部を備える少なくとも一つの画像処理装置と、を含み、前記管理装置は、前記取出検知部により着脱品の取り出しが検知されたことに応じて、取り出しが検知された前記取出検知部を備える画像処理装置とは異なる前記抑制部を備える画像処理装置に対して前記抑制処理の実行を指示する指示部を備える。
【０００９】
第３の発明によれば、着脱品の取り出しが検知された場合に、検知された画像処理装置とは異なる画像処理装置において着脱品の取り出しを抑制する抑制処理が実行されるため、着脱品の不正な持ち出しを抑制することができる。
【００１０】
第４の発明は、第１から第３のいずれか一つの発明の管理システムにおいて、前記取出検知部を備える画像処理装置は、取り出しが検知された着脱品の装着を検知する装着検知部をさらに備え、前記抑制部は、前記抑制処理の実行中に、取り出しが検知された画像処理装置において前記装着検知部により着脱品の装着が検知された場合には、当該抑制処理の実行を停止する。
【００１１】
第４の発明によれば、着脱品が取り出された画像処理装置において着脱品が再び装着された場合には、不正な持ち出しが行われる可能性が低いと考えられる。従って、そのような場合に抑制処理の実行を停止することで利便性を確保することができる。
【００１２】
第５の発明は、第１から第４のいずれか一つの発明の管理システムにおいて、前記取出検知部を備える画像処理装置は、複数の着脱品を装着可能であり、前記抑制部は、一つの画像処理装置において前記取出検知部により取り出しが検知された着脱品の数が２以上であることを条件として前記抑制処理を実行する。
【００１３】
第５の発明によれば、一つの画像処理装置から複数の着脱品が取り外された場合には、不正な持ち出しが行われる可能性が高いと考えられる。そこで、そのような場合に抑制処理を実行することで、不正な持ち出しを効果的に抑制することができる。
【００１４】
第６の発明は、第１から第５のいずれか一つの発明の管理システムにおいて、前記抑制部は、前記複数の画像処理装置のうち２以上の画像処理装置において前記取出検知部により取り出しが検知されたことを条件として前記抑制処理を実行する。
【００１５】
第６の発明によれば、複数の画像処理装置から着脱品が取り外された場合には、不正な持ち出しが行われる可能性が高いと考えられる。そこで、そのような場合に抑制処理を実行することで、不正な持ち出しを効果的に抑制することができる。
【００１６】
第７の発明は、第１から第６のいずれか一つの発明の管理システムにおいて、前記抑制部は、前記複数の画像処理装置のうち互いに異なる画像処理装置において前記取出検出部により取り外しが検知された着脱品同士が互いに交換不能であることを条件として前記抑制処理を実行する。
【００１７】
第７の発明によれば、複数の画像処理装置から取り外された着脱品同士が交換可能である場合には、ユーザが着脱品の交換を意図している可能性がある。これに対し、取り外された着脱品同士が交換不能である場合には、不正な持ち出しが行われる可能性が高いと考えられる。そこで、そのような場合に抑制処理を実行することで、不正な持ち出しを効果的に抑制することができる。
【００１８】
第８の発明は、第１から第７のいずれか一つの発明の管理システムにおいて、前記着脱品は、画像処理に使用される消耗品を収容しており、前記取出検知部を備えた画像処理装置は、前記着脱品に収容される消耗品の残量が第１基準以上かを判定する第１残量判定部をさらに備え、前記抑制部は、前記第１残量判定部により消耗品の残量が前記第１基準以上と判定された着脱品の取り出しが前記取出検知部により検知されることを条件として前記抑制処理を実行する。
【００１９】
第８の発明によれば、消耗品の残量が少ない着脱品は不正に持ち出される可能性が低いのに対し、消耗品の残量が多い着脱品は不正に持ち出される可能性が高いと考えられる。そこで、消耗品の残量が第１基準以上の着脱品の取り出しが検知されることを条件として抑制処理を行うことで、不正な持ち出しを効果的に抑制することができる。
【００２０】
第９の発明は、第８の発明の管理システムにおいて、前記抑制部は、前記第１残量判定部により消耗品の残量が前記第１基準以上と判定された着脱品の取り出しが、２以上の画像処理装置において前記取出検知部により検知されることを条件として前記抑制処理を実行する。
【００２１】
第９の発明によれば、消耗品の残量が多い着脱品が一つ取り外された場合には、ユーザが他の画像処理装置の着脱品との交換を意図している可能性がある。これに対し、消耗品の残量が多い着脱品が複数の画像処理装置から取り外された場合には、ユーザが交換を意図する可能性は低いと考えられる。そこで、消耗品の残量が第１基準以上と判定された着脱品の取り出しが２つ以上の画像処理装置において検知されることを条件として抑制処理を実行することで、不正な取り出しを効果的に抑制することができる。
【００２２】
第１０の発明は、第１から第９のいずれか一つの発明の管理システムにおいて、前記着脱品は、画像処理に使用される消耗品を収容しており、前記抑制部を備えた画像処理装置は、前記着脱品に収容される消耗品の残量が第２基準以上かを判定する第２残量判定部をさらに備え、前記抑制部は、前記第２残量判定部により消耗品の残量が前記第２基準以上と判定された着脱品が装着された画像処理装置において前記抑制処理を実行する。
【００２３】
第１０の発明によれば、消耗品の残量が多い着脱品は、残量が少ない着脱品に比べて、不正に持ち出される可能性が高いと考えられる。そこで、消耗品の残量が多い着脱品が装着された画像処理装置において抑制処理を実行することで、不正な持ち出しを効果的に抑制することができる。
【００２４】
第１１の発明は、第１から第１０のいずれか一つの発明の管理システムにおいて、着脱品を取り出し不能にロック可能なロック部をさらに備え、前記抑制部は、前記抑制処理において、前記ロック部により着脱品を取り出し不能にロックさせる。
【００２５】
第１１の発明によれば、抑制処理において、着脱品を取り出し不能にロックすることにより、不正な持ち出しを抑制することができる。
【００２６】
第１２の発明に係る画像処理装置は、着脱可能な着脱品を有し前記着脱品の取り出しを抑制する抑制処理を実行可能な他の画像処理装置と接続される画像処理装置であって、着脱品が着脱可能に装着される装置本体と、前記装着本体からの着脱品の取り出しを検知する取出検知部と、前記取出検知部により着脱品の取り出しが検知されたことに応じて、前記他の画像処理装置に対し前記抑制処理の実行を指示する指示部と、を備える。
【００２７】
第１２の発明によれば、着脱品の取り出しが検知された場合に、検知された画像処理装置とは異なる画像処理装置において着脱品の取り出しを抑制する抑制処理が実行されるため、着脱品の不正な持ち出しを抑制することができる。
【００２８】
第１３の発明に係る画像処理装置は、複数の着脱品が着脱可能に装着される装置本体と、前記装着本体からの着脱品の取り出しを検知する取出検知部と、前記取出検知部により前記複数の着脱品のうち一部の着脱品の取り出しが検知された場合に、残りの着脱品の取り出しを抑制する抑制処理を実行する抑制部と、を備える。
【００２９】
第１３の発明によれば、複数の着脱品のうち一部の着脱品の取り出しが検知された場合に、残りの着脱品の取り出しを抑制する抑制処理を実行するため、残りの着脱品については不正な持ち出しを抑制することができる。
【発明の効果】
【００３０】
本発明によれば、一部の着脱品の取り出しが検知された場合に、残った着脱品の取り出しを抑制する抑制処理が実行されるため、着脱品の不正な持ち出しを抑制することができる。
【図面の簡単な説明】
【００３１】
【図１】本発明の実施形態１における管理システムの概略構成を示すブロック図
【図２】カバーを閉鎖した状態のプリンタを示す模式図
【図３】カバーを開放した状態のプリンタを示す模式図
【図４】着脱情報送信処理のフローチャート
【図５】管理処理のフローチャート
【図６】管理データの例を示す表
【図７】モード実行処理のフローチャート
【図８】抑制実行条件の具体例を示す表
【図９】実施形態２における管理システムの概略構成を示すブロック図
【図１０】管理処理のフローチャート
【図１１】実施形態３におけるカバーを閉鎖した状態のプリンタを示す模式図
【図１２】カバーを開放した状態のプリンタを示す模式図
【図１３】管理処理を示すフローチャート
【発明を実施するための形態】
【００３２】
＜実施形態１＞
次に本発明の実施形態１について図１から図７を参照して説明する。
図１は、本実施形態における管理システムの概略構成を示すブロック図である。同図に示すように、この管理システムは、複数台（図示４台）のプリンタ１０（画像処理装置の一例）と管理装置５０とを互いにＬＡＮなどのネットワークを介して接続した構成になっている。始めにプリンタ１０の全体構成について説明する。なお、本実施形態の各プリンタ１０は、互いに同一の構成とする。また、以下の説明において、プリンタ１０同士を区別するときには、符号１０にＡ，Ｂ，Ｃ，Ｄの添え字を付す。
【００３３】
（プリンタの全体構成）
図２及び図３は、プリンタ１０の構成を示す模式図であり、図２は、カバー１２を閉鎖した状態を示し、図３は、カバー１２を開放した状態を示す。本プリンタ１０は４色（ブラックＫ、イエローＹ、マゼンタＭ、シアンＣ）のトナーを用いてカラー画像を形成するカラープリンタである。
【００３４】
プリンタ１０は、装着本体１１を備えており、その上面には開閉可能なカバー１２が設けられている。装着本体１１の底部には、複数のシート１３（用紙やＯＨＰシートなど）を積載可能な供給トレイ１４が設けられている。供給トレイ１４は、装置本体１１に対し前方に引き出して取り外すことができる。供給トレイ１４に積載されたシート１３は、給紙ローラ１５により１枚ずつ送り出され、レジストローラ１６により画像形成部１８のベルトユニット１９上に搬送される。
【００３５】
画像形成部１８は、ベルトユニット１９、４つのプロセスカートリッジ２０（以下、カートリッジという）、定着器２２などを備えている。４つのカートリッジ２０（着脱品の一例）は、装着本体１１に対して着脱可能であって、互いに異なる色のトナー（消耗品の一例）を収容している。なお、以下の説明において、カートリッジ２０同士を区別する際には、それぞれの符号２０の後にブラックＫ、イエローＹ、マゼンタＭ、シアンＣの添え字を付す。
【００３６】
各カートリッジ２０は、ベルトユニット１９上を搬送されるシート１３上に公知の電子写真方式によってトナー像を形成する。トナー像が形成されたシート１３は、定着器２２に送られ、そこでトナー像が熱定着される。その後、シート１３は、排出ローラ２３によって装置本体１１の上面に排出される。
【００３７】
装着本体１１には、カバー１２を開放不能にロック可能なロック部２５が設けられている。このロック部２５は、閉鎖状態のカバー１２に係止するロック位置（図２）と、係止を解除する解除位置（図３）とに変位可能である。ロック部２５がロック位置でカバー１２をロックすることにより、カバー１２内に配置された各カートリッジ２０は、装着本体１１からの取り出しが規制された状態となる。また、ロック部２５が解除位置にあるときには、カバー１２が開閉自在になり、各カートリッジ２０が着脱自在の状態となる。
【００３８】
（プリンタ及び管理装置の電気的構成）
プリンタ１０は、図１に示すように、ＣＰＵ３０、ＲＯＭ３１、ＲＡＭ３２、ＮＶＲＡＭ（不揮発性メモリ）３３、ネットワークインターフェイス３４を備えている。ＲＯＭ３１には、後述する着脱情報送信処理やモード実行処理など、プリンタ１０の各種動作を実行するためのプログラムが記憶されている。
【００３９】
ＣＰＵ３０（抑制部、第１残量判定部、第２残量判定部の一例）は、ＲＯＭ３１から読み出したプログラムに従って、その処理結果をＲＡＭ３２またはＮＶＲＡＭ３３に記憶させながら各部の制御を行う。ネットワークインターフェイス３４は、通信回線４５に接続されており、同じく通信回線４５に接続された他のプリンタ１０や管理装置５０との通信が可能となっている。
【００４０】
また、プリンタ１０は、操作部３５及び表示部３６を備えている。操作部３５は、複数のボタンを備え、ユーザにより各種の指示の入力操作が可能である。表示部３６は、ディスプレイやランプ等を備え、各種の設定画面や装置の動作状態等を表示することが可能である。
【００４１】
さらに、プリンタ１０は、カバーセンサ３７、着脱センサ３８及び残量センサ３９を備えている。カバーセンサ３７は、カバー１２の開閉状態を検知し、その結果に応じた検知信号を出力する。
【００４２】
着脱センサ３８（取出検知部、装着検知部の一例）は、各カートリッジ２０毎に設けられており、それぞれカートリッジ２０の有無を検知し、その結果に応じた検知信号を出力する。着脱センサ３８は、例えば接触型のセンサであって、カートリッジ２０が装着本体１１に装着された状態ではヘッドがカートリッジ２０に当接してオンになり、カートリッジ２０が取り出された状態ではヘッドがカートリッジ２０から離間してオフになる。
【００４３】
残量センサ３９は、カートリッジ２０内のトナーの残量を検出するためのセンサであって、各カートリッジ２０毎に設けられている。残量センサ３９は、例えば、光学式のセンサであって、カートリッジ２０のトナー収容室（図示せず）内に透過させたセンサ光の受光量の変化に応じて検出信号を出力する。
【００４４】
また、プリンタ１０は、上述した画像形成部１８及びロック部２５も備えており、当該各部は、ＲＯＭ３１から読み出したプログラムに従ってＣＰＵ３０によって制御される。
【００４５】
管理装置５０は、サーバあるいはパーソナルコンピュータなどのコンピュータであって、ＣＰＵ５１、ＲＯＭ５２、ＲＡＭ５３、ＨＤＤ（ハードディスクドライブ）５４、操作部５５、表示部５６、ネットワークインターフェイス５７を備えている。ＲＯＭ５２には、ＢＩＯＳ等が記憶されている。ＨＤＤ５４には、ＯＳや、後述する管理処理を実行するためのプログラムなどが記憶されている。ＣＰＵ５１は、ＲＯＭ５２及びＨＤＤ５４から読み出したプログラムに従って、その処理結果をＲＡＭ５３やＨＤＤ５４に記憶させながら、管理装置５０の動作を制御する。
【００４６】
操作部５５は、キーボードやポインティングデバイスを備え、ユーザにより各種の指示の入力操作が可能である。表示部５６は、ディスプレイを備え、各種の設定画面等を表示することが可能である。ネットワークインターフェイス５７は、既述の通信回線４５に接続され、各プリンタ１０との通信が可能となっている。
【００４７】
（着脱情報送信処理）
次に、プリンタ１０において実行される着脱情報送信処理について説明する。図４は、着脱情報送信処理のフローチャートである。
この着脱情報送信処理は、カートリッジ２０の着脱に関する情報を管理装置５０に送信するための処理であって、それぞれのプリンタ１０のＣＰＵ３０により繰り返し実行される。
【００４８】
ＣＰＵ３０は、図４に示す着脱通知処理において、まずカートリッジ２０の取り出しが検知されたかを判断する（Ｓ１０１）。ここでＣＰＵ３０は、例えば、着脱センサ３８のうちいずれかの検知信号がオフ（カートリッジ無し）である場合に基づいて取り出しが検知されていると判断する。
【００４９】
ＣＰＵ３０は、いずれかのカートリッジ２０の取り出しが検知された場合（Ｓ１０１：ＹＥＳ）には、取出情報をネットワークインターフェイス３４を介して管理装置５０に送信する（Ｓ１０２）。この取出情報は、２種類の着脱情報のうちの一つであって、取り出しが検知されたことを示すものである。尚、取出情報は、例えば、このプリンタ１０固有の個体情報（プリンタ１０の識別番号やＩＰアドレス、ＭＡＣアドレス等）や、取り出しが検知されたカートリッジ２０の種類（収容されるトナーの色等）などの情報を含んでいる。
【００５０】
ＣＰＵ３０は、Ｓ１０１にてカートリッジ２０の取り出しが検知されていない場合（Ｓ１０１：ＮＯ）、または、Ｓ１０２にて取出情報を送信した場合には、続いて、取り出されたカートリッジ２０の装着が検知されたかを判断する（Ｓ１０３）。ここでＣＰＵ３０は、例えば、着脱センサ３８のうちいずれかの検知信号がオン（カートリッジ部有り）である場合に基づいて装着が検知されていると判断する。
【００５１】
ＣＰＵ３０は、カートリッジ２０の装着が検知された場合（Ｓ１０３：ＹＥＳ）には、カートリッジ２０が装着されたことを示す装着情報をネットワークインターフェイス３４を介して管理装置５０に送信する（Ｓ１０４）。この装着情報は、着脱情報の一つであって、カートリッジ２０が装着されたことを示すものである。装着情報は、例えば、プリンタ１０の個体情報や、装着が検知されたカートリッジ２０の種類などの情報を含んでいる。
【００５２】
ＣＰＵ３０は、Ｓ１０４にて装着情報を送信した場合、またはＳ１０３にてカートリッジ２０の装着が検知されない場合（Ｓ１０３：ＮＯ）には、この着脱情報送信処理を終了する。即ち、全てのカートリッジ２０が装着されたままの状態である場合、あるいは、取り出されたカートリッジ２０の装着が行われていない場合には、Ｓ１０３にてＮｏに進み、この着脱情報送信処理を終了する。
【００５３】
尚、Ｓ１０２及びＳ１０４にていずれかの着脱情報が送信される際、同じ種類の着脱情報を連続して送信しない。例えば、Ｓ１０２にて取出情報を送信した場合、同一のプリンタ１０における次の着脱情報送信処理にて、Ｓ１０２の処理が実行されたとしても、取出信号の送信は省略される。即ち、同じ種類の着脱情報を連続して送信しないことで、状況が変化していないにも関わらず後述する管理処理を何度も繰り返すことを回避する。
【００５４】
（管理処理）
次に管理装置５０において実行される管理処理について説明する。図５は、管理処理のフローチャートである。
この管理処理は、各プリンタ１０におけるカートリッジ２０に対するロックの有無を制御する処理であり、管理装置５０のＣＰＵ５１により繰り返し実行される。
【００５５】
ＣＰＵ５１は、図５に示す管理処理を開始すると、いずれかのプリンタ１０からネットワークインターフェイス５７を介して着脱情報（取出情報または装着情報）を受信したかを判断する（Ｓ２０１）。そして、着脱情報を受信していない場合（Ｓ２０１：ＮＯ）には、この管理処理を終了する。
【００５６】
ＣＰＵ５１は、着脱情報を受信した場合（Ｓ２０１：ＹＥＳ）には、その着脱情報の内容をＨＤＤ５４に記憶された管理データに記録する（Ｓ２０２）。この管理データには、例えば、接続された各プリンタ１０の個体情報や、プリンタ１０が有するカートリッジ２０の種類（トナー色や型番等）とその着脱状態（有無）、プリンタ１０が抑制モードを実行中か否か、などの情報が記録されている。ここで、抑制モード（抑制処理の一例）とは、後述するように、プリンタ１０からのカートリッジ２０の取り出しを抑制するための動作モードである。
【００５７】
図６は、管理データの例を示す表である。この例の管理データには、プリンタ名、カートリッジ種類（トナー色）、カートリッジ装着状態、抑制モード実行有無に加え、各カートリッジ２０のトナー残量が記録されている。尚、トナー残量は、各プリンタ１０において残量センサ３９により検知されたものであって、管理装置５０は、定期的に各プリンタ１０からトナー残量についての情報を取得し、この管理データに記録している。
【００５８】
次にＣＰＵ５１は、抑制実行条件が成立するかを管理データに基づいて判断する（Ｓ２０３）。この抑制実行条件は、プリンタ１０に抑制モードを実行させるか否かを決定するための条件であって、例えば、取り出しが検知されたカートリッジ２０の個数や種類、トナーの残量や、取り出しが検知されたプリンタ１０の台数などに基づいて、様々な条件を設定することができる（後に詳述する）。
【００５９】
ＣＰＵ５１は、抑制実行条件が成立する場合（Ｓ２０３：ＹＥＳ）には、現在抑制モードの指示対象のプリンタ１０が存在するかを判断する（Ｓ２０４）。尚、抑制モードの指示対象のプリンタ１０とは、抑制モードを実行していないプリンタ１０であって、トナー残量が所定の第２基準以上のカートリッジ２０を有するプリンタ１０のことである。
【００６０】
ここで抑制モードの指示対象のプリンタ１０が存在する場合（Ｓ２０４：ＹＥＳ）には、管理データ１０に記録されたプリンタ１０の中から抑制モードを実行していないプリンタ１０であって、トナー残量が第２基準以上のカートリッジ２０を有するプリンタ１０を抑制モードの実行を指示する抑制対象として選択する（Ｓ２０５）。
【００６１】
例えば、図６の管理データにおいて、第２基準を３０％とすると、ＣＰＵ３０はトナー残量が３０％以上のカートリッジ２０を有するプリンタＡ〜Ｃを抑制対象として選択する。そして、全てのカートリッジ２０のトナー残量が３０％に満たないプリンタＤについては、抑制対象として選択しない。なお、ここでは、カートリッジ２０のトナー残量の合計が所定の基準以上のプリンタ１０を抑制対象としてとして選択するようにしても良い。
【００６２】
そして、ＣＰＵ５１は、抑制対象としてとして選択したプリンタ１０に対し、抑制モード実行指示をネットワークインターフェイス５７を介して送信する（Ｓ２０６）。
Ｓ２０４にて抑制モードの指示対象のプリンタ１０が存在しない場合（Ｓ２０４：ＮＯ）、または、Ｓ２０６にて抑制モード実行指示を送信した場合には、この管理処理を終了する。
【００６３】
また、ＣＰＵ５１は、Ｓ２０３にて抑制実行条件が成立しない場合（Ｓ２０３：ＮＯ）には、管理データを参照して現在抑制モードを実行中のプリンタ１０が存在するかを判断する（Ｓ２０７）。抑制モードを実行中のプリンタ１０が存在する場合（Ｓ２０７：ＹＥＳ）には、そのプリンタ１０に対し抑制モード解除指示を送信する（Ｓ２０８）。そして、Ｓ２０７にて抑制モードの実行中でない場合（Ｓ２０７：ＮＯ）、または、Ｓ２０８にて抑制モード解除指示を送信した場合には、この管理処理を終了する。
【００６４】
（モード実行処理）
次にプリンタ１０において実行されるモード実行処理について説明する。図７は、モード実行処理のフローチャートである。
このモード実行処理は、管理装置５０からの指示に応じて抑制モードの実行または実行解除を行う処理であり、それぞれのプリンタ１０のＣＰＵ３０により繰り返し実行される。
【００６５】
ＣＰＵ３０は、図７に示すモード実行処理を開始すると、まずネットワークインターフェイス３４を介して抑制モード実行指示を受信したかを判断する（Ｓ３０１）。そして、抑制モード実行指示を受信した場合（Ｓ３０１：ＹＥＳ）には、ロック部２５によりカバー１２を閉鎖状態でロックする（Ｓ３０２）。これにより、各カートリッジ２０が装着本体１１から取り出し不能にロックされた状態となる。
【００６６】
そしてＣＰＵ３０は、カバー１２のロックが完了したことを示すロック完了情報をネットワークインターフェイス３４を介して管理装置５０に送信する（Ｓ３０３）。管理装置５０は、プリンタ１０からロック完了情報を受信すると、管理データにおいてそのプリンタ１０の抑制モード実行の値を無から有に変更する。
【００６７】
ＣＰＵ３０は、Ｓ３０１にて抑制モード実行指示を受信していない場合（Ｓ３０１：ＮＯ）、または、Ｓ３０３にてロック完了情報を送信した場合には、続いて、抑制モード解除指示を受信したかを判断する（Ｓ３０４）。抑制モード解除指示を受信した場合（Ｓ３０４：ＹＥＳ）には、ロック状態にあるロック部２５のロックを解除する（Ｓ３０５）。これにより、カバー１２が開放可能になり、従って、ユーザが各カートリッジ２０の着脱を行うことが可能になる。
【００６８】
そしてＣＰＵ３０は、カバー１２のロック解除が完了したことを示すロック解除情報をネットワークインターフェイス３４を介して管理装置５０に送信する（Ｓ３０６）。管理装置５０は、プリンタ１０からロック解除情報を受信すると、管理データにおいてそのプリンタ１０の抑制モード実行の値を有から無に変更する。
【００６９】
ＣＰＵ３０は、Ｓ３０４にて抑制モード解除指示を受信していない場合（Ｓ３０４：ＮＯ）、または、Ｓ３０６にてロック解除情報を送信した場合には、この管理処理を終了する。
【００７０】
（抑制実行条件の具体例）
プリンタ１０に抑制モードを実行させるか否かを決定するための抑制実行条件は、使用環境などに応じてユーザが適宜設定することができる。
図８は、抑制実行条件の具体例を示す表である。以下、抑制実行条件の具体例（１）〜（６）について順に説明する。
【００７１】
条件（１）：１台のプリンタ１０におけるカートリッジ２０の取り出しの検知
この条件（１）を抑制実行条件とした場合、プリンタ１０Ａ〜１０Ｄのいずれかにおいて、少なくとも一個のカートリッジ２０の取り出しが検知された場合に抑制実行条件が満たされる。例えば、プリンタ１０Ａにおいて１個のカートリッジ２０Ｙの取り出しが検知された場合には、Ｓ２０５にて抑制対象としてとして選択されたプリンタ１０（例えばプリンタ１０Ｂ，１０Ｃ，１０Ｄ）において抑制モードが実行される。
【００７２】
条件（２）：１台のプリンタ１０における複数のカートリッジ２０の取り出しの検知
この条件（２）を抑制実行条件とした場合、各プリンタ１０において検知されるカートリッジ２０の取り出しが１個までの場合には、抑制モードは実行されない。例えばプリンタ１０Ａで、２個のカートリッジ２０Ｋ，２０Ｃの取り出しが検知された場合には、抑制実行条件が満たされ、抑制対象のプリンタ１０（例えばプリンタ１０Ｂ，１０Ｃ，１０Ｄ）において抑制モードが実行される。
【００７３】
条件（３）：２台以上のプリンタ１０におけるカートリッジ２０の取り出しの検知
この条件（３）を抑制実行条件とした場合、カートリッジ２０の取り出しが検知されたプリンタ１０が１台までのときには、抑制モードは実行されない。例えば、プリンタ１０Ａにおいてカートリッジ２０Ｋ、プリンタ１０Ｂにおいてカートリッジ２０Ｃの取り出しが検知された場合には抑制実行条件が満たされ、抑制対象のプリンタ１０（例えばプリンタ１０Ｃ，１０Ｄ）において抑制モードが実行される。
【００７４】
条件（４）：複数のプリンタ１０間における互いに異なる色のカートリッジ２０の取り出しの検知
この条件（４）を抑制実行条件とした場合、複数のプリンタ１０から取り出したカートリッジ２０同士が同じ色の場合（交換可能の場合）には、抑制モードが実行されず、カートリッジ２０同士が異なる色の場合（即ち、互いに交換不能な場合、例えば、上述した条件（３）で例示した状況）に、抑制モードが実行される。
【００７５】
従って、例えばプリンタ１０Ｂからシアンのカートリッジ２０Ｃを取り出した後、プリンタ１０Ａから同じくシアンのカートリッジ２０Ｃを取り出し、プリンタ１０Ｂのカートリッジ２０Ｃをプリンタ１０Ａに装着したり、逆にプリンタ１０Ａのカートリッジ２０Ｃをプリンタ１０Ｂに装着したりすることができる。
【００７６】
この様な使用方法が可能であることによって、例えば、あるカートリッジ２０のトナー残量が空に近くなり、新品のカートリッジ２０が直ぐに入手できないような場合には、残量が空に近いカートリッジ２０の代わりに他のプリンタ１０から取り出したカートリッジ２０を装着して印刷を行うことができる。また、何らかの事情で調子が悪いカートリッジ２０が存在するような場合にも、そのカートリッジ２０の代わりに他のプリンタ１０から取り出したカートリッジ２０を装着して使用することができる。
【００７７】
条件（５）：トナー残量が第１基準以上のカートリッジ２０の取り出しの検知
この条件（５）を抑制実行条件とした場合、トナー残量が第１基準未満のカートリッジ２０については取り出しが検知されても抑制モードが実行されない。
【００７８】
例えば、図６の管理データの各プリンタ１０において、第１基準のトナー残量を１０％とすると、プリンタＤのイエローのカートリッジ２０Ｙの取り出しが検知されても抑制モードが実行されず、その他のカートリッジ２０の取り出しが検知されたときに抑制モードが実行される。従って、トナー残量が第１基準未満のカートリッジ２０Ｙについては、抑制対象のプリンタ１０（例えばプリンタ１０Ｃ，１０Ｄ）にて抑制モードを実行させずに、当該プリンタ１０にて新品のカートリッジ２０等と交換することができる。
【００７９】
条件（６）：トナー残量が第１基準以上の複数の異なる色のカートリッジ２０の取り出しの検知
この条件（６）を抑制実行条件とした場合、トナー残量が第１基準以上の１個のカートリッジ２０の取り出しが検知されても抑制モードが実行されない。
【００８０】
例えば、図６の管理データの各プリンタ１０において、第１基準のトナー残量を１０％とすると、プリンタＢのイエローのカートリッジ２０Ｙの取り出しが検知されても抑制モードが実行されない。続いて、プリンタＤのイエローのカートリッジ２０Ｙを取り出し、代わりにプリンタＢから取り出したイエローのカートリッジ２０Ｙを装着することができる。
【００８１】
（本実施形態の効果）
以上のように本実施形態によれば、カートリッジ２０の取り出しが検知された場合に、検知されたプリンタ１０とは異なるプリンタ１０においてカートリッジ２０の取り出しを抑制する抑制モードが実行されるため、カートリッジ２０の不正な持ち出しを抑制することができる。
【００８２】
また、通常時（抑制実行条件が満たされない場合）は、抑制モードを解除しておくことで、ユーザが各カートリッジ２０を自在に着脱できるため、利便性が良い。
【００８３】
また、カートリッジ２０が取り出されたプリンタ１０においてカートリッジ２０が再び装着された場合には、不正な持ち出しが行われる可能性が低いと考えられる。従って、そのような場合（Ｓ２０３において抑制実行条件が成立しなくなった場合（Ｓ２０３：ＮＯ））に抑制モードの実行を停止する（Ｓ２０８）ことで利便性を確保することができる。
【００８４】
また、１台のプリンタ１０から複数のカートリッジ２０が取り外された場合には、不正な持ち出しが行われる可能性が高いと考えられる。そこで、そのような場合（条件（２）が成立する場合）に抑制モードを実行することで、不正な持ち出しを効果的に抑制することができる。
【００８５】
また、複数のプリンタ１０からカートリッジ２０が取り外された場合には、不正な持ち出しが行われる可能性が高いと考えられる。そこで、そのような場合（条件（３）が成立する場合）に抑制モードを実行することで、不正な持ち出しを効果的に抑制することができる。
【００８６】
また、複数のプリンタ１０から取り外されたカートリッジ２０同士が交換可能である場合には、ユーザがカートリッジ２０の交換を意図している可能性がある。これに対し、取り外されたカートリッジ２０同士が交換不能である場合には、不正な持ち出しが行われる可能性が高いと考えられる。そこで、そのような場合（条件（４）が成立する場合）に抑制モードを実行することで、不正な持ち出しを効果的に抑制することができる。
【００８７】
また、トナーの残量が少ないカートリッジ２０は不正に持ち出される可能性が低いのに対し、トナーの残量が多いカートリッジ２０は不正に持ち出される可能性が高いと考えられる。そこで、トナーの残量が第１基準以上のカートリッジ２０の取り出しが検知されることを条件（条件（５））として抑制モードを行うことで、不正な持ち出しを効果的に抑制することができる。
【００８８】
また、トナーの残量が多いカートリッジ２０が一つ取り外された場合には、ユーザが他のプリンタ１０のカートリッジ２０との交換を意図している可能性がある。これに対し、トナーの残量が多いカートリッジ２０が複数のプリンタ１０から取り外された場合には、ユーザが交換を意図する可能性は低いと考えられる。そこで、トナーの残量が第１基準以上と判定されたカートリッジ２０の取り出しが２つ以上のプリンタ１０において検知されることを条件（条件（６））として抑制モードを実行することで、不正な取り出しを効果的に抑制することができる。
【００８９】
また、トナーの残量が多いカートリッジ２０は、残量が少ないカートリッジ２０に比べて、不正に持ち出される可能性が高いと考えられる。そこで、トナー１２の残量が多いカートリッジ２０が装着されたプリンタ１０において抑制モードを実行する（Ｓ２０５）ことで、不正な持ち出しを効果的に抑制することができる。また、トナー残量が少ないカートリッジ２０は、不正に持ち出される可能性が低いため、抑制モードを実行しないことで、ユーザの利便を図ることができる。
【００９０】
＜実施形態２＞
次に本発明の実施形態２について図９及び図１０を参照して説明する。
図９は、本実施形態における管理システムの概略構成を示すブロック図であり、図１０は、管理処理のフローチャートである。図９に示すように、この管理システムは、複数台（図示４台）のプリンタ１０を互いにＬＡＮなどのネットワークを介して接続して構成されており、実施形態１のように管理装置５０を備えていない。なお、プリンタ１０の構成は実施形態１と同様である。
【００９１】
本実施形態では、各プリンタ１０のＣＰＵ３０が図４の着脱情報送信処理、図７のモード実行処理と概ね同様の処理に加え、図１０に示す管理処理を実行する。なお、図１０は、図５のステップＳ２０１を置き換えたものであり、図５と同様の処理には同一の符号を付す。
【００９２】
ＣＰＵ３０は、図４に示す着脱情報送信処理において、カートリッジ２０の取り出しを検知した場合（Ｓ１０１：ＹＥＳ）には、ネットワークインターフェイス３４を介して他のプリンタ１０に取出情報を送信する（Ｓ１０２）。また、取り出されたカートリッジ２０の装着を検知した場合（Ｓ１０３：ＹＥＳ）には、他のプリンタ１０に装着情報を送信する（Ｓ１０４）。各プリンタ１０のＣＰＵ３０は、ネットワークインターフェイス３４を介して取出情報及び装着情報を受信するとＮＶＲＡＭ３３等に記憶された管理データに記憶する。
【００９３】
尚、各プリンタ１０のＮＶＲＡＭ３３にはそれぞれ図６に示すような管理データが記憶されており、他のプリンタ１０の情報が管理されている。尚、この管理データは、後述する管理処理における抑制実行条件が成立するか判断する際に参照する。
【００９４】
また、ＣＰＵ３０は、図１０に示す管理処理を開始すると、そのＣＰＵ３０を備えるプリンタ１０において、カートリッジ２０の取り出しまたは装着が検知されたかを判断する（Ｓ４０１）。そして、検知された場合には、カートリッジ２０の取り出しまたは装着に関する情報を着脱情報として管理データに記録する（Ｓ２０２）。以下の処理は、図５とほぼ同様である。そして、カートリッジ２０の取り出しまたは装着が検知されていない場合（Ｓ４０１：ＮＯ）には、この管理処理を終了する。
【００９５】
即ち、本実施形態のＣＰＵ３０は、抑制実行条件が成立するかを判断する（Ｓ２０３）。そして、抑制実行条件が成立する場合（Ｓ２０３：ＹＥＳ）には、抑制モードの指示対象のプリンタ１０が存在すれば（Ｓ２０４：ＹＥＳ）、抑制対象のプリンタ１０を選択し（Ｓ２０５）、そのプリンタ１０に抑制モード実行指示を送信する（Ｓ２０６）。また、抑制実行条件が成立しない場合（Ｓ２０３：ＮＯ）には、抑制モードを実行中のプリンタ１０があれば（Ｓ２０７：ＹＥＳ）、抑制モード解除指示をそのプリンタ１０に送信する（Ｓ２０８）。
【００９６】
以上のように本実施形態では、各プリンタ１０において管理処理を実行し、カートリッジ２０の取り出しまたは装着を検知した場合には、そのプリンタ１０のＣＰＵ３０が抑制実行条件が成立するかを判断し、その結果に応じて他のプリンタ１０に抑制モード実行指示または抑制モード解除指示を送信する。これにより、カートリッジ２０の取り出しが検知された場合に、検知されたプリンタ１０とは異なるプリンタ１０においてカートリッジ２０の取り出しを抑制する抑制モードが実行されるため、カートリッジ２０の不正な持ち出しを抑制することができる。
【００９７】
＜実施形態３＞
次の本発明の実施形態３について図１１から図１３を参照して説明する。
図１１及び図１２は、プリンタ６０の構成を示す模式図であり、図１１は、カバー１２を閉鎖した状態を示し、図１２は、カバー１２を開放した状態を示す。
本実施形態では、抑制モードをプリンタ６０単体で実行する例を示す。本実施形態のプリンタ６０の電気的構成は、図１に示すプリンタ１０と同様である。以下の説明では、実施形態１と同様の構成については同一の符号を付す。
【００９８】
本実施形態のプリンタ６０は、図２のプリンタ１０のようにカバー１２をロックするロック部２５を備えておらず、カバー１２は常に開閉自在の状態になっている。また、プリンタ６０は、各カートリッジ２０を個別にロック可能なロック部６１を備えている。このロック部６１は、カートリッジ２０に設けられた被ロック部６２に係止するロック位置（図１１）と、係止を解除する解除位置（図１２）とに変位可能である。
【００９９】
尚、通常、ロック部６１は、カバー１２が閉鎖されている状態ではロック位置に位置し、カバー１２が開放されている状態では解除位置に位置する。この様に構成することで、カバー１２が閉鎖されている状況では、画像形成部１８によって安定した画像形成が実行可能であり、カバー１２が開放されている状況では、ユーザが自由にカートリッジ２０を取り出すことが可能である。
【０１００】
（管理処理）
次にプリンタ６０において実行される管理処理について説明する。図１３は、管理処理を示すフローチャートである。
この管理処理は、ＣＰＵ３０により繰り返し実行される。
【０１０１】
ＣＰＵ３０は、図１３の管理処理を開始すると、着脱センサ３８によりいずれかのカートリッジ２０の取り出しが検知されたかを判断する（Ｓ５０１）。そして、カートリッジ２０の取り出しが検知された場合（Ｓ５０１：ＹＥＳ）には、カートリッジ２０の取り出しが検知されていないカートリッジ２０をそれぞれロック部６１によりロックする（Ｓ５０２）。
【０１０２】
次にＣＰＵ３０は、Ｓ５０１にてカートリッジ２０の取り出しが検知されない場合（Ｓ５０１：ＮＯ）、またはＳ５０２にてカートリッジ２０をロックした場合には、取り出されたカートリッジ２０の装着が検知されたかを判断する（Ｓ５０３）。カートリッジ２０の装着が検知された場合（Ｓ５０３：ＹＥＳ）には、全てのカートリッジ２０によるロック部６１を解除させる（Ｓ５０４）。Ｓ５０３にてカートリッジ２０の装着が検知されない場合（Ｓ５０３：ＮＯ）、またはＳ５０４にて全てのカートリッジ２０のロックを解除した場合には、この管理処理を終了する。
【０１０３】
即ち、この管理処理では、カートリッジ２０の取り出しが検知されたプリンタ６０のＣＰＵ３０がそのプリンタ６０自体における抑制モードの実行を指示する。これにより、取り出されていないカートリッジ２０の取り出しが規制される。
なお、上記管理処理では、１個のカートリッジ２０の取り出しが検知されたことを条件としてロックを行うが、２個あるいは３個のカートリッジ２０の取り出しが検知されたことを条件としてロックを行っても良い。
【０１０４】
以上のように本実施形態によれば、複数のカートリッジ２０のうち一部のカートリッジ２０の取り出しが検知された場合に、残りのカートリッジ２０の取り出しを抑制する抑制モードを実行するため、残りのカートリッジ２０については不正な持ち出しを抑制することができる。
【０１０５】
＜他の実施形態＞
本発明は上記記述及び図面によって説明した実施形態に限定されるものではなく、例えば次のような実施形態も本発明の技術的範囲に含まれる。
（１）上記実施形態では、本発明の画像処理装置として電子写真方式のカラープリンタに適用した例を示したが、本発明は、インクジェット方式の画像形成装置やモノクロ専用の画像形成装置など、他の方式の画像形成装置に適用でき、さらに、コピー装置、ファクシミリ装置やスキャナ装置など、画像処理を行う画像処理装置に適用することができる。
【０１０６】
（２）実施形態３のように、複数の着脱品を個別にロックする機構を備えた画像処理装置を実施形態１，２のように他の画像処理装置と接続して管理システムを構成しても良い。
【０１０７】
（３）上記実施形態では、着脱品としてプロセスカートリッジを管理するものを示したが、本発明によれば、画像処理装置において着脱可能な物品を広く着脱品として管理することができる。例えば、図２のプリンタ１０では、供給トレイ１４、ベルトユニット１９、定着器２２などを着脱品として管理することができる。また、供給トレイを着脱品とした場合、積載されるシートを消耗品とし、そのシートの残量をセンサで検知して、その残量に応じて抑制処理を実行するか否かの条件判断を行うことができる。
【０１０８】
（４）着脱品の着脱を検知するには、接触式または光学式などのセンサで直接的にその着脱品の有無を検知するようにしても良く、あるいは、着脱品に取り付けたＩＣチップなどの電機部品に装置本体側から通電するか否かに基づいて検知しても良い。あるいは、着脱品の取り出しまたは装着するためのカバーの開閉をセンサにより検知し、カバーの開放の検知を着脱品の取り出しの検知と見なし、カバーの閉鎖の検知を着脱品の装着の検知と見なしても良い。
【０１０９】
（５）上記実施形態１，２では、同一構成のプリンタを接続した管理システムを示したが、異なる構成の画像処理装置が混在する管理システムを構成することができる。また、上記実施形態では、各プリンタが交換可能なカートリッジを備えるものを示したが、管理システムを構成する画像処理装置同士は、必ずしも交換可能な着脱品を備えていなくても良い。即ち、例えば、ある画像処理装置でカートリッジの取り出しが検知された場合に、別の画像処理装置において、供給トレイの取り出しを抑制する抑制処理を実行しても良い。
【０１１０】
（６）上記実施形態では、抑制処理において、ロック部によってカバーやカートリッジをロックするものを示したが、本発明によれば、例えば、抑制処理の際には、画像処理装置に設けた発音部から警告音を鳴らしたり、あるいは画像処理装置に設けた警告ランプを点灯させるようにすれば、必ずしもロック部を設けなくても良い。特に、抑制処理中にカバーの開放や、着脱品の取り出しなど、着脱品の取り出しに伴う動作を検知したときに、警告音を鳴らす等の動作を行うようにすれば良い。
【０１１１】
（７）管理者が操作部等から暗証番号を入力することで、ロック部による着脱品のロックや、抑制処理の実行を解除できるようにしても良い。
【０１１２】
（８）上記実施形態１，２では、ネットワークに接続された全ての画像処理装置が取出検知部と抑制部との両方の機能を備えたものを示したが、本発明によれば、取出検知部、抑制部の少なくとも一方を備えてれば良い。
【０１１３】
（９）図９のように管理装置がない管理システムでは、実施形態２のように各画像処理装置が他の画像処理装置に対し抑制処理の実行や実行解除の指示を出すように構成しても良く、あるいは、複数の画像処理装置のうちの一つが管理装置として、他の画像処理装置指示を出すように構成しても良い。
【０１１４】
（１０）実施形態１では、トナー残量に基づいて抑制モードの実行を指示する対象を選択するものを示したが、本発明によれば、抑制モードの選択の方法は適宜変更することができる。例えば、着脱品の取り出しが検知されたことで、通信回線４５に接続されている全ての画像処理装置において抑制処理を実行するようにしても良く、あるいは、実施形態３のように取り出しが検知された画像処理装置自体でも抑制処理を実行するようにしても良い。
【符号の説明】
【０１１５】
１０，６０…プリンタ
１１…装着本体
２０…カートリッジ
２５，６１…ロック部
３０…ＣＰＵ
３８…着脱センサ
３９…残量センサ
５０…管理装置
５１…ＣＰＵ
【図１】
2011245649.tif 000003
【図２】
2011245649.tif 000004
【図３】
2011245649.tif 000005
【図４】
2011245649.tif 000006
【図５】
2011245649.tif 000007
【図６】
2011245649.tif 000008
【図７】
2011245649.tif 000009
【図８】
2011245649.tif 000010
【図９】
2011245649.tif 000011
【図１０】
2011245649.tif 000012
【図１１】
2011245649.tif 000013
【図１２】
2011245649.tif 000014
【図１３】
2011245649.tif 000015